(57)【要約】  直列接続された複数のセルの各電圧を検出するための電圧検出回路を冗長化した場合において、最下位の電圧検出線の断線を簡単に検出できるように、第１電圧検出回路（３１ａ）および第２電圧検出回路（３１ｂ）の動作電源は、直列接続された複数のセル（Ｓ１−Ｓ８）の両端からそれぞれ供給される。複数のセル（Ｓ１−Ｓ８）の最下位のノードと第１電圧検出回路（３１ａ）の間は、電圧検出線（Ｌ９）と負電源供給線（Ｌ１０）の２本で接続される。複数のセル（Ｓ１−Ｓ８）の最下位のノードと第２電圧検出回路（３１ｂ）の間は、電圧検出線と負電源供給線を兼用する１本の配線（Ｌ１０）で接続される。
2017188073.tif 000002
【特許請求の範囲】
【請求項１】
直列接続された複数のセルの各ノードに電圧検出線で接続され、当該複数のセルのそれぞれの電圧を検出する第１電圧検出回路と、
前記複数のセルの各ノードに電圧検出線で接続され、当該複数のセルのそれぞれの電圧を検出する第２電圧検出回路と、を備え、
前記第１電圧検出回路および前記第２電圧検出回路の動作電源は、前記複数のセルの両端からそれぞれ供給され、
前記複数のセルの最下位のノードと前記第１電圧検出回路の間は、前記電圧検出線と負電源供給線の２本で接続され、
前記複数のセルの最下位のノードと前記第２電圧検出回路の間は、前記電圧検出線と負電源供給線を兼用する１本の配線で接続される、
ことを特徴とする管理装置。
【請求項２】
前記複数のセルの最上位のノードと前記第１電圧検出回路の間は、前記電圧検出線と正電源供給線の２本で接続され、
前記複数のセルの最上位のノードと前記第２電圧検出回路の間は、前記電圧検出線と正電源供給線を兼用する１本の配線で接続される、
ことを特徴とする請求項１に記載の管理装置。
【請求項３】
前記複数のセルの最上位のノードと前記第１電圧検出回路の間は、前記電圧検出線と正電源供給線の２本で接続され、
前記複数のセルの最上位のノードと前記第２電圧検出回路の間は、前記電圧検出線と正電源供給線の２本で接続される、
ことを特徴とする請求項１に記載の管理装置。
【請求項４】
前記複数のセルの各ノードにワイヤーハーネスが接続され、各ワイヤーハーネスの先端のコネクタが、前記管理装置の各コネクタに接続され、
前記管理装置内において、前記複数のセルの各ノードに接続された配線が分岐される、
ことを特徴とする請求項１から３のいずれかに記載の管理装置。
【請求項５】
前記第１電圧検出回路において、前記複数のセルの最下位のノードに接続される電圧検出線が接続される端子と、前記負電源供給線が接続される端子間に、ダイオードが接続される、
ことを特徴とする請求項１から４のいずれかに記載の管理装置。
【請求項６】
前記第１電圧検出回路は、主計測回路であり、
前記第２電圧検出回路は、前記第１電圧検出回路より仕様が低い冗長計測回路である、
ことを特徴とする請求項１から５のいずれかに記載の管理装置。
【請求項７】
複数のセルが直列接続された蓄電モジュールと、
前記蓄電モジュールを管理する請求項１から６のいずれかに記載の管理装置と、
を備えることを特徴とする電源システム。
【発明の詳細な説明】
【技術分野】
【０００１】
本発明は、蓄電モジュールの状態を管理する管理装置、及び電源システムに関する。
【背景技術】
【０００２】
近年、ハイブリッド車（ＨＶ）、プラグインハイブリッド車（ＰＨＶ）、電気自動車（ＥＶ）が普及してきている。これらの車にはキーデバイスとして二次電池が搭載される。
車載用二次電池としては主に、ニッケル水素電池およびリチウムイオン電池が普及している。今後、エネルギー密度が高いリチウムイオン電池の普及が加速すると予想される。【０００３】
リチウムイオン電池は常用領域と使用禁止領域が近接しているため、他の種類の電池より厳格な電圧管理が必要である。複数のリチウムイオン電池セルが直列に接続された組電池を使用する場合、各セルの電圧を検出するための電圧検出回路が設けられる。複数のセルの各ノードと電圧検出回路は、複数の電圧検出線で接続される（例えば、特許文献１、２参照）。検出されたセル電圧は、ＳＯＣ(State Of Charge)管理、均等化制御などに使用される。【０００４】
電圧検出回路の動作電源は、電源回路の簡素化のため、検出対象の組電池の両端から供給を受ける構成が多い。この構成において、組電池を構成する複数のセルの最上位・最下位の電圧検出線と、正・負電源供給線を兼用する設計方法と、個別に配線する設計方法が考えられる。前者の設計方法では配線の数を減らすことができ、回路構成を簡素化することができる。一方、後者の設計方法では、最上位・最下位の電圧検出線を電圧検出回路の動作電流が流れないため、最上位・最下位のノード電圧の検出精度が低下することを抑えることができる。また最上位／最下位の電圧検出線が断線した場合でも、電圧検出回路への電源供給を継続することができる。【０００５】
電圧検出線の断線により当該電圧検出線が接続された電圧検出回路の端子電圧が低下した場合でも、電圧検出回路は当該電圧検出線が断線したのか、該当するセル電圧が低下したのか直ぐには判定することができない。そこで、当該電圧検出線とそれに隣接する電圧検出線間に設けられた均等化回路を導通させて、当該電圧検出線の電圧変化を見ることにより断線が発生したか否かを確認する方法がある。当該方法では均等化回路が正常であることを前提とするため、均等化回路自身の故障検出が必要となる。
【先行技術文献】
【特許文献】
【０００６】
【特許文献１】特開２０１３−５０３１２号公報
【特許文献２】特開２０１３−１７２５４４号公報
【発明の概要】
【発明が解決しようとする課題】
【０００７】
電圧検出回路自身の故障に備えて、電圧検出回路を冗長化する構成も一般に用いられている。複数の電圧検出回路の検出値を比較することにより、電圧検出回路の故障や電圧検出線の断線を検出することができる。【０００８】
本発明はこうした状況に鑑みなされたものであり、その目的は、直列接続された複数のセルの各電圧を検出するための電圧検出回路を冗長化した場合において、最下位の電圧検出線の断線を簡単に検出する技術を提供することにある。
【課題を解決するための手段】
【０００９】
上記課題を解決するために、本発明のある態様の管理装置は、直列接続された複数のセルの各ノードに電圧検出線で接続され、当該複数のセルのそれぞれの電圧を検出する第１電圧検出回路と、前記複数のセルの各ノードに電圧検出線で接続され、当該複数のセルのそれぞれの電圧を検出する第２電圧検出回路と、を備える。前記第１電圧検出回路および前記第２電圧検出回路の動作電源は、前記複数のセルの両端からそれぞれ供給され、前記複数のセルの最下位のノードと前記第１電圧検出回路の間は、前記電圧検出線と負電源供給線の２本で接続され、前記複数のセルの最下位のノードと前記第２電圧検出回路の間は、前記電圧検出線と負電源供給線を兼用する１本の配線で接続される。【００１０】
なお、以上の構成要素の任意の組み合わせ、本発明の表現を方法、装置、システムなどの間で変換したものもまた、本発明の態様として有効である。
【発明の効果】
【００１１】
本発明によれば、直列接続された複数のセルの各電圧を検出するための電圧検出回路を冗長化した場合において、最下位の電圧検出線の断線を簡単に検出することができる。
【図面の簡単な説明】
【００１２】
【図１】比較例１に係る電源システムを説明するための図である。
【図２】比較例２に係る電源システムを説明するための図である。
【図３】比較例３に係る電源システムを説明するための図である。
【図４】本発明の実施の形態に係る電源システムを説明するための図である。
【発明を実施するための形態】
【００１３】
図１は、比較例１に係る電源システム１を説明するための図である。電源システム１は、蓄電モジュール１０及び管理装置３０を備える。蓄電モジュール１０は、直列接続された複数のセルを含む。セルには、リチウムイオン電池セル、ニッケル水素電池セル、鉛電池セル、電気二重層キャパシタセル、リチウムイオンキャパシタセル等を用いることができる。以下、本明細書ではリチウムイオン電池セル（公称電圧：３．６−３．７Ｖ）を使用する例を想定する。図１では、８個のリチウムイオン電池セル（第１セルＳ１−第８セルＳ８）が直列に接続されて構成された組電池を使用する例を描いている。
【００１４】
管理装置３０は、均等化回路、入力フィルタ、セル電圧検出回路３１及び制御回路３２を含み、それらはプリント配線基板上に実装される。セル電圧検出回路３１は、直列接続された複数のセルＳ１−Ｓ８の各ノードと複数の電圧検出線Ｌ１−Ｌ９で接続され、隣接する電圧検出線間の電圧を検出して各セルＳ１−Ｓ８の電圧を検出する。セル電圧検出回路３１は例えば、専用のカスタムＩＣであるＡＳＩＣ（Application Specific Integrated Circuit）により構成される。セル電圧検出回路３１は、検出した各セルＳ１−Ｓ８の電圧を制御回路３２に送信する。
【００１５】
蓄電モジュール１０の複数のセルＳ１−Ｓ８の各ノードにはワイヤーハーネスが接続され、各ワイヤーハーネスの先端のコネクタが、プリント配線基板に実装された管理装置３０の各コネクタに装着される。即ち、蓄電モジュール１０と管理装置３０間は、ハーネス・コネクタ２０を介して電気的に接続される。
【００１６】
複数の電圧検出線Ｌ１−Ｌ９にそれぞれ抵抗Ｒ１−Ｒ９が挿入され、隣接する２本の電圧検出線間にそれぞれコンデンサＣ１−Ｃ８が接続される。抵抗Ｒ１−Ｒ９及びコンデンサＣ１−Ｃ８は入力フィルタ（ローパスフィルタ）を構成し、セル電圧検出回路３１に入力される電圧を安定化させる作用を有する。
【００１７】
管理装置３０の各コネクタと、セル電圧検出回路３１の各検出端子間は、複数の電圧検出線Ｌ１−Ｌ９で接続される。隣接する２本の電圧検出線間にそれぞれ均等化回路が接続される。図１に示す例では、均等化回路は放電抵抗Ｒ１１−Ｒ１８と放電スイッチＱ１−Ｑ８の直列回路で構成されている。放電スイッチＱ１−Ｑ８は例えば、トランジスタで構成される。
【００１８】
制御回路３２は、セル電圧検出回路３１から受信した複数のセルＳ１−Ｓ８の電圧をもとに均等化制御を実行する。具体的には複数のセルＳ１−Ｓ８の内、最も電圧が低いセルの電圧に他のセルの電圧を合わせる。制御回路３２は、当該他のセルと並列に接続されている均等化回路の放電スイッチをターンオンして、当該他のセルを放電させる。当該他のセルの電圧が、最も電圧が低いセルの電圧まで低下したら、当該他のセルと並列に接続されている均等化回路の放電スイッチをターンオフする。制御回路３２は例えば、マイクロプロセッサにより構成される。
【００１９】
セル電圧検出回路３１の動作電源は、電源回路の簡素化のため、監視対象の蓄電モジュール１０から供給を受ける。蓄電モジュール１０以外の電源からセル電圧検出回路３１が電力供給を受ける場合、絶縁処理が必要となるため回路が大型化し、コストが増大する。
【００２０】
セル電圧検出回路３１の回路動作電流として通常、数ｍＡ〜数十ｍＡ発生する。電源供給線と電圧検出線を兼用する場合、当該回路動作電流による電圧降下が検出電圧に影響を与える。特に、高精度な管理が必要となるリチウムイオン電池を用いた電源システム１では無視できないものとなる。そのため、電源供給線と電圧検出線を兼用させず、個別配線とすることが考えられる。
【００２１】
図１に示す例では、蓄電モジュール１０を構成する複数のセルＳ１−Ｓ８の最上位のノードとセル電圧検出回路３１間を、第１電圧検出線Ｌ１と正電源供給線Ｌ０の２本で接続している。同様に複数のセルＳ１−Ｓ８の最下位のノードとセル電圧検出回路３１間を、第９電圧検出線Ｌ９と負電源供給線Ｌ１０の２本で接続している。
【００２２】
セル電圧検出回路３１の内部において、第９電圧検出線Ｌ９が接続される第９検出端子と、負電源供給線Ｌ１０が接続される負電源端子間にＥＳＤ（Electro-Static Discharge）保護ダイオードＤ１が接続される。なお図示しないが、正電源供給線Ｌ０が接続される正電源端子と、第１電圧検出線Ｌ１が接続される第１検出端子間にもＥＳＤ保護ダイオードが接続される。これらのＥＳＤ保護ダイオードは一般的に、ＩＣの製造時に予め組み込まれる。
【００２３】
ハーネス・コネクタ２０で接続不良または断線（以下、本明細書では両者を包括して断線という。即ち、断線は物理的な配線の切断に限定されず、電気的な切断を含むものとする。）が発生した場合、セル電圧検出回路３１によりセル電圧を正しく検出することができなくなる。その場合、制御回路３２によるセルの状態監視や均等化制御が正しく行われなくなる。
【００２４】
そのため通常は均等化回路を駆動するなどして断線状態を異常電圧として検出する機能が備わっている。例えば均等化回路を導通させた後、セル電圧が大きく低下した場合は電圧検出線の断線と判定し、セル電圧が殆ど変化しない場合はセルのＳＯＣ低下と判定する。ただしこの方法では、それを実行するための追加機能を実装する必要がある。また均等化回路自身の故障検出回路が別途に必要となる。セル電圧検出回路３１によるセル電圧の監視だけでは、均等化回路の故障を検出することはできない。
【００２５】
正電源供給線Ｌ０及び／又は負電源供給線Ｌ１０が断線した場合、以下の２つの動作のいずれかが発生するため、電源システム１は故障検出されて安全に停止する。
（１）セル電圧検出回路３１に電源が供給されなくなるため、セル電圧検出回路３１からの応答がなくなり、制御回路３２で故障検出される。
（２）セル電圧検出回路３１の動作電流は、ＥＳＤ保護ダイオードＤ１、断線した電源供給線に隣接する電圧検出線を通じて継続して流れる。ただし当該電圧検出線の電圧は、動作電流がフィルタ抵抗を通過することにより発生する電圧降下の影響を受ける。これによりセル電圧がセルの通常使用範囲から大きく低め検出となり、制御回路３２により過放電として検出される。例えば、図１において負電源供給線Ｌ１０が断線すると、ＥＳＤ保護ダイオードＤ１を通じて第９電圧検出線Ｌ９に動作電流が流れるが、第９抵抗Ｒ９による電圧降下の影響で、第８セルＳ８の電圧が低め検出となる。なお、図示はしないが、正電源供給線Ｌ０が接続される正電源端子と、第１電圧検出線Ｌ１が接続される第１検出端子間に接続されるＥＳＤ保護ダイオードを備える構成の場合には、正電源供給線Ｌ０が断線した際に、このＥＳＤ保護ダイオードを通じて、第１電圧検出線Ｌ１に動作電流が流れることになる。
【００２６】
図２は、比較例２に係る電源システム１を説明するための図である。セル電圧検出回路３１の内部では電圧計測のためにマルチプレクサやＡＤ変換器を使用する場合が多い。この場合において通常、セル電圧検出回路３１の各検出端子の電位からグラウンド電位の方向に、わずかに漏れ電流が発生する(図２のＩ１参照）。漏れ電流は通常、１ｕＡより十分に小さく、数ｋΩ程度のフィルタ抵抗を使用した場合でも、顕著な検出誤差に至らないように設計される。
【００２７】
この漏れ電流Ｉ１により、第３検出端子の入力フィルタを構成する第２コンデンサＣ２が充電され、第３コンデンサＣ３が放電される。これにより、第３検出端子の電位が徐々に低下し、第２検出端子と第３検出端子間の電圧Ｖ２は、第２セルＳ２の実際の電圧より大きく検出され、反対に第３検出端子と第４検出端子間の電圧Ｖ３は、第３セルＳ３の実際の電圧より小さく検出される。その結果、第２セルＳ２は過充電、第３セルＳ３は過放電と判定され、電源システム１は異常検出により停止する。
【００２８】
ただし漏れ電流はグラウンド電位に対して発生するため、セル電圧検出回路３１内において、グラウンド電位と同電位になる第９検出端子の電位からは漏れ電流が流れない。従って、第９電圧検出線Ｌ９が断線しても電圧変化が発生しないため、第９電圧検出線Ｌ９の断線が検出されない。
【００２９】
これを回避するために電流源Ｉ２を追加し、第９電圧検出線Ｌ９が断線した場合に、第８検出端子と第９検出端子間の電圧Ｖ８を意図的に異常電圧に変化させることが考えられる。しかしながら追加の回路素子が必要となる。また電流源Ｉ２自身の故障検出回路も必要となる。電流源Ｉ２の故障検出回路が設けられない場合、電流源Ｉ２の故障中に第９電圧検出線Ｌ９が断線しても、第８検出端子と第９検出端子間の電圧変化が発生しないため、電流源Ｉ２の故障も第９電圧検出線Ｌ９の断線も検出することができない。
【００３０】
図２では第９電圧検出線Ｌ９の断線検出用の電流源Ｉ２を描いているが、他の電圧検出線の断線検出用にも電流源が搭載される。ただし、このグラウンド電位への漏れ電流を利用して断線を検出する方式では、消費電流の増加や検出誤差の増加が発生する。また当該方式は、上位の電圧検出線ほど断線が検出しやすくなり、下位の電圧検出線ほど断線が検出しにくくなる性質がある。上述のように最下位の電圧検出線では、電流源を追加しないと断線を検出することができない。
【００３１】
図３は、比較例３に係る電源システム１を説明するための図である。比較例３では、セル電圧検出回路３１を冗長化している。なお図３では図面を簡略化するため均等化回路を省略して描いている。
【００３２】
第１セル電圧検出回路３１ａが主計測回路であり、第２セル電圧検出回路３１ｂが冗長計測回路である。主計測回路は電源システム１を高精度に制御するため高仕様に設計される。冗長計測回路は基本的に、主計測回路が正常に機能しているかを確認するために設けられ、主計測回路と比較して相対的に低仕様に設計される。例えば、冗長計測回路に実装されるＡＤ変換器の分解能は、主計測回路に実装されるＡＤ変換器より低く抑えられる。
また、冗長計測回路の検出周期が、主計測回路よりも長くなる構成であってもよい。検出周期が長くなると、急激な変化に対する応答性が低下するが、消費電力も抑えられるという特徴がある。
【００３３】
冗長計測回路は、セルのＳＯＣ管理や均等化制御を主目的とせず、主計測回路の故障検出やセルの過充電／過放電の検出を主目的としている。従って、主計測回路より仕様を下げることを許容でき、それにより回路コスト及び消費電流を低減することができる。
【００３４】
第１セル電圧検出回路３１ａは、検出した各セルＳ１−Ｓ８の電圧を制御回路３２に送信し、第２セル電圧検出回路３１ｂも、検出した各セルＳ１−Ｓ８の電圧を制御回路３２に送信する。制御回路３２は、第１セル電圧検出回路３１ａから受信した各セルＳ１−Ｓ８の電圧と、第２セル電圧検出回路３１ｂから受信した各セルＳ１−Ｓ８の電圧を比較する。これにより、第１セル電圧検出回路３１ａまたは第２セル電圧検出回路３１ｂの故障を検出することができる。
【００３５】
ハーネス・コネクタ２０はセル電圧検出回路３１が冗長化されても単体で実装される。
ハーネス・コネクタ２０は電子部品と異なり実装スペース・コストが大きくなるため、正電源供給線Ｌ０、複数の電圧検出線Ｌ１−Ｌ９、及び負電源供給線Ｌ１０は図３に示すように、ハーネス・コネクタ２０より後段のプリント配線基板上でそれぞれ２本に分岐される。ワイヤーハーネスの段階から冗長化するとワイヤーハーネスの本数を２倍にする必要があり、セルの直列数が多いほど増加する本数が多くなる。
【００３６】
図３に示す回路構成においても、漏れ電流等で発生する断線時の挙動は同じであり、第９電圧検出線Ｌ９の断線は、第９検出端子の検出値に殆ど影響を与えない。主計測回路および冗長計測回路の両方が同じ挙動となるため、冗長化していても断線を検出できない。
【００３７】
図４は、本発明の実施の形態に係る電源システム１を説明するための図である。実施の形態では複数のセルＳ１−Ｓ８の最下位のノードと第１セル電圧検出回路３１ａ間は、第９電圧検出線Ｌ９と負電源供給線Ｌ１０の２本で接続される。一方、複数のセルＳ１−Ｓ８の最下位のノードと第２セル電圧検出回路３１ｂ間は、電圧検出線と兼用されている負電源供給線Ｌ１０の１本で接続される。第２セル電圧検出回路３１ｂの第９検出端子は、第９抵抗Ｒ９ｂを介してグラウンドに接続されている。
【００３８】
この構成では第９電圧検出線Ｌ９の断線時、主計測回路（第１セル電圧検出回路３１ａ）の第９検出端子は不定（フローティング）となるが、冗長計測回路（第２セル電圧検出回路３１ｂ）の第９検出端子は、複数のセルＳ１−Ｓ８の最下位ノードの電圧を継続して検出することができる。従って第８セルＳ８に過充電／過放電が発生した場合でも、冗長計測回路により第８セルＳ８の過充電／過放電が検出され、制御回路３２により保護される。
【００３９】
主計測回路は、主計測回路および冗長計測回路の動作電流が流れない第９電圧検出線Ｌ９を使用して第８セルＳ８の電圧を検出する。従って第９電圧検出線Ｌ９が断線していない間は、第８セルＳ８の電圧は主計測回路により高精度に検出され、それをもとに電源システム１は高精度に制御される。冗長計測回路は負電源供給線Ｌ１０を使用して第８セルＳ８の電圧を検出する。冗長計測回路は基本的に過充電／過放電を検出できればよいため、負電源供給線Ｌ１０を使用することによる小さな検出誤差は許容される。
【００４０】
負電源供給線Ｌ１０の断線時、ＥＳＤ保護ダイオードＤ１及び第９電圧検出線Ｌ９を通じて電源供給が確保される。負電源供給線Ｌ１０が断線した際、主計測回路の第８検出端子と第９検出端子間の電圧が大きく変化（降下）する。これにより制御回路３２は、負電源供給線Ｌ１０の断線または第８セルＳ８の過放電を検出することができる。
【００４１】
複数のセルＳ１−Ｓ８の最上位のノードと第１セル電圧検出回路３１ａ間は、第１電圧検出線Ｌ１と正電源供給線Ｌ０の２本で接続される。同様に、複数のセルＳ１−Ｓ８の最上位のノードと第１セル電圧検出回路３１ａ間も、第１電圧検出線Ｌ１と正電源供給線Ｌ０の２本で接続される。
【００４２】
第１電圧検出線Ｌ１が断線した場合、漏れ電流の影響が大きく現れるため、第９電圧検出線Ｌ９の断線と異なり第１電圧検出線Ｌ１の断線は容易に検出される。従って第１セル電圧検出回路３１ａ及び第２セル電圧検出回路３１ｂのいずれか一方と、複数のセルＳ１−Ｓ８の最上位のノード間を、電圧検出線と正電源供給線を兼用した１本の配線で接続する必要性は低い。ただし、正電源供給線Ｌ０が断線した場合でも、第１セル電圧検出回路３１ａ及び第２セル電圧検出回路３１ｂのいずれか一方の電源を確保することを目的に、第１セル電圧検出回路３１ａ及び第２セル電圧検出回路３１ｂのいずれか一方（例えば、第２セル電圧検出回路３１ｂ）と最上位のノード間を、電圧検出線と正電源供給線を兼用した１本の配線で接続する構成を用いてもよい。
【００４３】
以上説明したように本実施の形態によれば、セル電圧検出回路３１を冗長化することにより、主計測回路と冗長計測回路の両方で複数のセルＳ１−Ｓ８を監視することにより、より安全な電源システム１を構築することができる。主計測回路と冗長計測回路との間で、複数のセルＳ１−Ｓ８の最下位のノードとの接続形態を変えることにより、第９電圧検出線Ｌ９の断線を、特別な断線検出回路を追加することなく、簡単に検出することができる。また負電源供給線Ｌ１０が断線しても、ＥＳＤ保護ダイオードＤ１を備えることにより、主計測回路の電源が確保されるため、fail-safe動作することができる。以上により、電源システム１の安全性を確保しつつ高い信頼性を得ることができる。
【００４４】
以上の説明では、複数のセルＳ１−Ｓ８の最下位のノードと第２セル電圧検出回路３１ｂ間は、電圧検出線と兼用されている負電源供給線Ｌ１０の１本で接続される構成を例に説明されているが、正電源供給線Ｌ０と電圧検出線を兼用するように構成してもよい。この構成の場合には、正電源供給線Ｌ０が接続される正電源端子と、第１電圧検出線Ｌ１が接続される第１検出端子間に接続されるＥＳＤ保護ダイオードを備えることが好ましい。
この構成により、正電源供給線Ｌ０が断線した際に、このＥＳＤ保護ダイオードを通じて、第１電圧検出線Ｌ１に動作電流が流れ、回路の電源を確保することができ、断線検出を行うことが可能となる。
【００４５】
以上、本発明を実施の形態をもとに説明した。これら実施の形態は例示であり、それらの各構成要素や各処理プロセスの組合せにいろいろな変形例が可能なこと、またそうした変形例も本発明の範囲にあることは当業者に理解されるところである。
【００４６】
上述の実施の形態では、冗長計測回路の仕様を主計測回路の仕様より下げて、検出精度とコストのバランスを図る例を示したが、主計測回路と冗長計測回路の仕様を共通にしてもよい。いずれも高仕様で設計すれば、冗長計測回路の検出値をもとにしても、セルのＳＯＣ管理や均等化制御を高精度に行うことができる。
【００４７】
また上述の実施の形態では電源システム１を車両用電源装置に利用する例を想定したが、車載用途に限らず、航空用電源装置、船舶用電源装置、定置型蓄電システム等、他の用途にも利用可能である。例えばＥＳＤ保護ダイオードＤ１は、同等の効果が得られる場所に通常のダイオードを実装しても達成しうる。また実施例では第１電圧検出線Ｌ１の断線時は容易に検出されるとしたが、回路構成により容易に検出されない場合、第９抵抗Ｒ９ｂの接続方式と同様に第１抵抗Ｒ１ｂの接続のみ、正電源供給線に接続しても良い。
【００４８】
なお、実施の形態は、以下の項目によって特定されてもよい。
【００４９】
［項目１］
直列接続された複数のセル（Ｓ１−Ｓ８）の各ノードに電圧検出線（Ｌ１−Ｌ９）で接続され、当該複数のセル（Ｓ１−Ｓ８）のそれぞれの電圧を検出する第１電圧検出回路（３１ａ）と、
前記複数のセル（Ｓ１−Ｓ８）の各ノードに電圧検出線（Ｌ１−Ｌ９）で接続され、当該複数のセル（Ｓ１−Ｓ８）のそれぞれの電圧を検出する第２電圧検出回路（３１ｂ）と、を備え、
前記第１電圧検出回路（３１ａ）および前記第２電圧検出回路（３１ｂ）の動作電源は、前記複数のセル（Ｓ１−Ｓ８）の両端からそれぞれ供給され、
前記複数のセル（Ｓ１−Ｓ８）の最下位のノードと前記第１電圧検出回路（３１ａ）の間は、前記電圧検出線（Ｌ９）と負電源供給線（Ｌ１０）の２本で接続され、
前記複数のセル（Ｓ１−Ｓ８）の最下位のノードと前記第２電圧検出回路（３１ｂ）の間は、前記電圧検出線と負電源供給線を兼用する１本の配線（Ｌ１０）で接続される、
ことを特徴とする管理装置（３０）。
これによれば、複数のセル（Ｓ１−Ｓ８）の最下位のノードに接続された電圧検出線（Ｌ９）の断線を簡単に検出することができる。
［項目２］
前記複数のセル（Ｓ１−Ｓ８）の最上位のノードと前記第１電圧検出回路（３１a）の間は、前記電圧検出線（Ｌ１）と正電源供給線（Ｌ０）の２本で接続され、
前記複数のセル（Ｓ１−Ｓ８）の最上位のノードと前記第２電圧検出回路（３１ｂ）の間は、前記電圧検出線（Ｌ１）と正電源供給線（Ｌ０）を兼用する１本の配線で接続される、
ことを特徴とする項目１に記載の管理装置（３０）。
これによれば、複数のセル（Ｓ１−Ｓ８）の最上位のノードに接続された電圧検出線（Ｌ９）の断線を簡単に検出することができる。
［項目３］
前記複数のセル（Ｓ１−Ｓ８）の最上位のノードと前記第１電圧検出回路（３１a）の間は、前記電圧検出線（Ｌ１）と正電源供給線（Ｌ０）の２本で接続され、
前記複数のセル（Ｓ１−Ｓ８）の最上位のノードと前記第２電圧検出回路（３１ｂ）の間は、前記電圧検出線（Ｌ１）と正電源供給線（Ｌ０）の２本で接続される、
ことを特徴とする項目１に記載の管理装置（３０）。
これによれば、第１電圧検出回路（３１ａ）及び第２電圧検出回路（３１ｂ）における、最上位のセル（Ｓ１）の電圧検出精度の低下を抑えることができる。
［項目４］
前記複数のセル（Ｓ１−Ｓ８）の各ノードにワイヤーハーネスが接続され、各ワイヤーハーネスの先端のコネクタが、前記管理装置（３０）の各コネクタに接続され、
前記管理装置（３０）内において、前記複数のセル（Ｓ１−Ｓ８）の各ノードに接続された配線が分岐される、
ことを特徴とする項目１から３のいずれかに記載の管理装置（３０）。
これによれば、冗長化によるワイヤーハーネス・コネクタの増加を抑えることができる。
［項目５］
前記第１電圧検出回路（３１ａ）において、前記複数のセル（Ｓ１−Ｓ８）の最下位のノードに接続される電圧検出線（Ｌ９）が接続される端子と、前記負電源供給線（Ｌ１０）が接続される端子間に、ダイオード（Ｄ１）が接続される、
ことを特徴とする項目１から４のいずれかに記載の管理装置（３０）。
これによれば、負電源供給線（Ｌ１０）が断線しても、第１電圧検出回路（３１ａ）の電源を確保することができる。
［項目６］
前記第１電圧検出回路（３１ａ）は、主計測回路であり、
前記第２電圧検出回路（３１ｂ）は、前記第１電圧検出回路（３１ａ）より仕様が低い冗長計測回路である、
ことを特徴とする項目１から５のいずれかに記載の管理装置（３０）。
これによれば、検出精度とコストのバランスを図ることができる。
［項目７］
複数のセル（Ｓ１−Ｓ８）が直列接続された蓄電モジュール（１０）と、
前記蓄電モジュール（１０）を管理する項目１から６のいずれかに記載の管理装置（３０）と、
を備えることを特徴とする電源システム（１）。
これによれば、複数のセル（Ｓ１−Ｓ８）の最下位のノードに接続された電圧検出線（Ｌ９）の断線を簡単に検出することができる。
【符号の説明】
【００５０】
１  電源システム、  １０  蓄電モジュール、  Ｓ１−Ｓ８  セル、  Ｌ０  正電源供給線、  Ｌ１−Ｌ９  電圧検出線、  Ｌ１０  負電源供給線、  ２０  ハーネス・コネクタ、  ３０  管理装置、  Ｒ１−Ｒ９  抵抗、  Ｃ１−Ｃ８  コンデンサ、  Ｒ１１−Ｒ１８  放電抵抗、  Ｑ１−Ｑ８  放電スイッチ、  Ｄ１  ＥＳＤ保護ダイオード、  ３１  セル電圧検出回路、  ３１ａ  第１セル電圧検出回路、  ３１ｂ  第２セル電圧検出回路、  ３２  制御回路。
【図１】
2017188073.tif 000003
【図２】
2017188073.tif 000004
【図３】
2017188073.tif 000005
【図４】
2017188073.tif 000006
【国際調査報告】
2017188073.tif 000007
2017188073.tif 000008
2017188073.tif 000009